(57)【特許請求の範囲】
【請求項１】
施設の共用スペースに設けられた第１通話装置と、
前記施設において前記共用スペースとは異なる場所に設けられた第２通話装置と、
前記共用スペースを撮像する撮像装置と、
前記撮像装置から映像信号を取得する映像信号取得装置と、を備え、
前記第１通話装置は、前記映像信号取得装置及び前記第２通話装置と通信する通信部と、操作を受け付ける操作部と、を有しており、
前記第１通話装置は、前記第２通話装置の呼び出しを行う呼出操作を前記操作部が受け付けたとき、前記通信部が、前記第１通話装置と対応付けられた前記撮像装置の前記映像信号を要求する要求信号を前記映像信号取得装置に送信し、
前記映像信号取得装置は、前記要求信号を受信したとき、前記第１通話装置と対応付けられた前記撮像装置から取得した前記映像信号を前記第１通話装置に出力しており、
前記第１通話装置の前記通信部が、前記要求信号に応じて前記映像信号取得装置から出力された前記映像信号を前記第２通話装置に送信するように構成された、
ことを特徴とする通話システム。
【請求項２】
前記第１通話装置と対応付けられた前記撮像装置が複数あり、前記映像信号取得装置は複数の前記撮像装置から前記映像信号を取得しており、
前記第２通話装置は、複数の前記撮像装置からモニタ対象の撮像装置を選択する選択部を有し、前記選択部によって選択された前記モニタ対象の撮像装置の識別情報を前記第１通話装置に送信するように構成され、
前記第１通話装置は、前記通信部が前記モニタ対象の撮像装置の識別情報を受信したとき、前記通信部が前記識別情報と前記要求信号とを前記映像信号取得装置に送信しており、
前記映像信号取得装置は、前記要求信号と前記識別情報とを受信したとき、前記モニタ対象の撮像装置から取得した前記映像信号を前記第１通話装置に出力しており、
前記第１通話装置の前記通信部が、前記映像信号取得装置から出力された前記映像信号を前記第２通話装置に送信するように構成された、
ことを特徴とする請求項１に記載の通話システム。
【請求項３】
前記第１通話装置は、入力された音声を電気信号である音声信号に変換して出力するマイクロホンを、さらに有しており、
前記第１通話装置の前記通信部が、前記マイクロホンから出力された前記音声信号を前記第２通話装置に送信するとき、前記映像信号と前記音声信号との同期をとって前記第２通話装置に送信するように構成された、
ことを特徴とする請求項１又は２に記載の通話システム。
【請求項４】
前記呼出操作には、前記映像信号を前記第２通話装置に送信させた状態で前記第２通話装置の呼び出しを行う第１呼出操作と、前記映像信号を前記第２通話装置に送信させない状態で前記第２通話装置の呼び出しを行う第２呼出操作とがあり、
前記第１通話装置は、前記操作部が前記第１呼出操作を受け付けたときは、前記通信部が、前記映像信号取得装置から出力された前記映像信号を前記第２通話装置に送信するように構成され、
前記第１通話装置は、前記操作部が前記第２呼出操作を受け付けたときは、前記通信部が、前記映像信号を前記第２通話装置に送信しないように構成された、
ことを特徴とする請求項１〜３のいずれか１項に記載の通話システム。
【請求項５】
請求項１〜４のいずれか１項に記載の通話システムが備える映像信号取得装置であって、
前記撮像装置及び前記第１通話装置と通信する通信インターフェイスを備え、
前記通信インターフェイスが、前記第１通話装置から前記要求信号を受信したとき、前記撮像装置から取得した前記映像信号を前記第１通話装置に出力するように構成された、
ことを特徴とする映像信号取得装置。
【請求項６】
撮像装置から取得した映像信号を出力する映像信号取得装置、及び通話相手となる他の通話装置と通信する通信部と、
操作を受け付ける操作部と、を有し、
前記他の通話装置の呼び出しを行う呼出操作を前記操作部が受け付けたとき、前記通信部が、当該通話装置と対応付けられた前記撮像装置の前記映像信号を要求する要求信号を前記映像信号取得装置に送信し、前記要求信号に応じて前記映像信号取得装置から出力された前記撮像装置の前記映像信号を、前記他の通話装置に送信するように構成された、
ことを特徴とする通話装置。
【発明の詳細な説明】
【技術分野】
【０００１】
本発明は、通話システム、映像信号取得装置、及び通話装置に関する。本発明は、とくに、映像を見ながら通話が行える通話システム、映像信号取得装置、及び通話装置に関する。
【背景技術】
【０００２】
従来、集合住宅のエントランスに設置された集合玄関機と、管理人室に設置された管理室親機と、集合住宅の各住戸に設置された居室親機と、制御機とを備えた集合住宅インターホンシステムが提案されている（例えば特許文献１参照）。
【０００３】
この集合住宅インターホンシステムでは、管理室親機と、居室親機又は集合玄関機との通話において、管理室親機のカメラで撮像された映像が、居室親機又は集合玄関機のモニタに表示される。また、管理室親機又は集合玄関機と、居室親機との通話では、管理室親機又は集合玄関機のカメラで撮像された映像が、居室親機のモニタに表示される。
【先行技術文献】
【特許文献】
【０００４】
【特許文献１】特開２０１１−１８２３３３号公報
【発明の概要】
【発明が解決しようとする課題】
【０００５】
集合玄関にいる来訪者が集合玄関機を用いてある住戸の居室親機を呼び出す場合、集合玄関機に設けられたカメラによって撮像された映像が、呼出先の居室親機に送信され、居室親機のモニタに表示される。集合玄関機に設けられたカメラでは、集合玄関機の設置位置などによって画角が制約される。そのため、来訪者がカメラの画角の外側にいる場合、住戸の住人は、モニタに表示された映像を見ても、来訪者を確認できず、来訪者に対してカメラの画角内に移動するよう指示する必要があった。
【０００６】
本発明の目的は、通話装置の設置場所によって画角が制約されにくい映像信号を出力できる通話システム、映像信号取得装置、及び通話装置を提供することにある。
【課題を解決するための手段】
【０００７】
本発明の一態様の通話システムは、第１通話装置と、第２通話装置と、撮像装置と、映像信号取得装置と、を備える。前記第１通話装置は施設の共用スペースに設けられている。前記第２通話装置は、前記施設において前記共用スペースとは異なる場所に設けられている。前記撮像装置は、前記共用スペースを撮像する。前記映像信号取得装置は、前記撮像装置から映像信号を取得する。前記第１通話装置は、前記映像信号取得装置及び前記第２通話装置と通信する通信部と、操作を受け付ける操作部と、を有している。前記第１通話装置は、前記第２通話装置の呼び出しを行う呼出操作を前記操作部が受け付けたとき、前記通信部が、前記第１通話装置と対応付けられた前記撮像装置の前記映像信号を要求する要求信号を前記映像信号取得装置に送信している。前記映像信号取得装置は、前記要求信号を受信したとき、前記第１通話装置と対応付けられた前記撮像装置から取得した前記映像信号を前記第１通話装置に出力している。前記第１通話装置の前記通信部が、前記要求信号に応じて前記映像信号取得装置から出力された前記映像信号を前記第２通話装置に送信するように構成されている。
【０００８】
本発明の一態様の映像信号取得装置は、前記通話システムが備える映像信号取得装置である。前記映像信号取得装置は、前記撮像装置及び前記第１通話装置と通信する通信インターフェイスを備える。前記通信インターフェイスが、前記第１通話装置から前記要求信号を受信したとき、前記撮像装置から取得した前記映像信号を前記第１通話装置に出力するように構成される。
【０００９】
本発明の一態様の通話装置は、通信部と、操作部とを有している。前記通信部は、撮像装置から取得した映像信号を出力する映像信号取得装置、及び通話相手となる他の通話装置と通信する。前記操作部は操作を受け付ける。前記他の通話装置の呼び出しを行う呼出操作を前記操作部が受け付けたとき、前記通信部が、当該通話装置と対応付けられた前記撮像装置の前記映像信号を要求する要求信号を前記映像信号取得装置に送信する。前記通信部が、前記要求信号に応じて前記映像信号取得装置から出力された前記撮像装置の前記映像信号を、前記他の通話装置に送信するように構成される。
【発明の効果】
【００１０】
本発明によれば、通話装置の設置場所によって画角が制約されにくい映像信号を出力できる。
【図面の簡単な説明】
【００１１】
【図１】図１は、本発明の一実施形態に係る通話システムの概略構成図である。
【図２】図２は、同上の通話システムのブロック図である。
【図３】図３Ａは、同上の通話システムが備える管理室親機に表示されるメニュー画面の説明図である。図３Ｂは、同上の通話システムが備える管理室親機に表示される住戸親機の呼出画面の説明図である。
【図４】図４は、同上の通話システムの動作を説明するシーケンス図である。
【図５】図５は、同上の通話システムが備える住戸親機に表示される呼出画面の説明図である。
【発明を実施するための形態】
【００１２】
以下に説明する実施形態は、本発明に係る通話システム、通話システムが備える映像信号取得装置、及び通話装置の一例にすぎない。本発明は、以下の実施形態に限定されず、以下の実施形態は、本発明の目的を達成できれば、設計等に応じて種々の変更が可能である。
【００１３】
（１）概要
本実施形態の通話システム２００は、図１に示すように、管理室親機１（第１通話装置）と、住戸親機２（第２通話装置）と、撮像装置３と、カメラアダプタ４（映像信号取得装置）とを備える。
【００１４】
管理室親機１は、施設１００の共用スペース（本実施形態では共用玄関１０１）に設けられている。
【００１５】
住戸親機２は、施設１００において共用スペース（共用玄関１０１）とは異なる場所に設けられている。
【００１６】
撮像装置３は、共用スペース（共用玄関１０１）を撮像する。
【００１７】
カメラアダプタ４は、撮像装置３から映像信号を取得する。
【００１８】
管理室親機１は、図２に示すように、通信部１２と、操作部１３と、を有している。通信部１２は、カメラアダプタ４及び住戸親機２と通信する。操作部１３は操作を受け付ける。
【００１９】
管理室親機１では、住戸親機２の呼び出しを行う呼出操作を操作部１３が受け付けたとき、通信部１２が、管理室親機１と対応付けられた撮像装置３の映像信号を要求する要求信号をカメラアダプタ４に送信する。カメラアダプタ４は、要求信号を受信したとき、管理室親機１と対応付けられた撮像装置３から取得した映像信号を管理室親機１に出力する。管理室親機１の通信部１２は、要求信号に応じてカメラアダプタ４から出力された映像信号を住戸親機２に送信するように構成される。
【００２０】
（２）詳細
（２．１）構成
以下、本実施形態に係る通話システム２００、カメラアダプタ４、管理室親機１について図面を参照して詳しく説明する。
【００２１】
本実施形態の通話システム２００が適用される施設１００は例えば集合住宅である。第１通話装置である管理室親機１は、共用スペースである共用玄関１０１に設けられている。本実施形態では、施設１００の共用玄関１０１にコンシェルジュが駐在する受付スペースが設けられ、この受付スペースに管理室親機１が設けられている。また、集合住宅の複数の住戸１０２のそれぞれに第２通話装置である住戸親機２が設けられている。ここで、来訪者が、住戸１０２の住人を訪ねて共用玄関１０１の受付スペースに来た場合、受付スペースに駐在するコンシェルジュは、管理室親機１を用いて、住人の住戸１０２にある住戸親機２を呼び出し、来訪者を住人に取り次ぐ業務などを行う。
【００２２】
本実施形態の通話システム２００は、図１に示すように、上述した管理室親機１、住戸親機２、撮像装置３、カメラアダプタ４の他に、制御装置５と、中継装置６と、変換装置７とをさらに備えている。なお、制御装置５と、中継装置６と、変換装置７とは通話システム２００の必須の構成ではなく、適宜省略が可能である。
【００２３】
以下、通話システム２００が備える各構成について説明する。
【００２４】
制御装置５は、伝送線８１を介して管理室親機１に接続されている。また、制御装置５は、伝送線８２を介して複数の住戸親機２に接続されている。また、制御装置５は、伝送線８３を介してカメラアダプタ４に接続されている。カメラアダプタ４は中継装置６に接続されており、中継装置６には複数台の撮像装置３と、端末装置８とが接続されている。なお、以下の説明において複数台の撮像装置３の各々について説明する場合は撮像装置３Ａ，３Ｂ，３Ｃ，３Ｄ，３Ｅと記載し、撮像装置３Ａ，３Ｂ，３Ｃ，３Ｄ，３Ｅに共通する説明を行う場合は撮像装置３と記載する。
【００２５】
管理室親機１は、図２に示すように、制御部１１と、通信部１２と、操作部１３と、表示部１４と、通話部１５と、マイクロホン１５１と、スピーカ１５２とを備えている。
【００２６】
制御部１１は、ＣＰＵ（Central Processing Unit）及びメモリを有する組み込みのコンピュータを備えている。ＣＰＵがメモリに格納されているプログラムを実行することによって、管理室親機１の種々の機能が実現される。コンピュータのＣＰＵが実行するプログラムは、メモリにあらかじめ記録されているが、インターネットなどの電気通信回線を通じて提供されてもよいし、メモリカードなどの記録媒体に記録されて提供されてもよい。また、制御部１１のメモリには、管理室親機１と対応付けられた撮像装置３Ａ，３Ｂの識別情報や機器名称などの情報が記憶されている。
【００２７】
通信部１２は、映像信号、音声信号、制御信号（例えば呼出信号、要求信号など）の少なくともいずれかの信号を含む通信信号を生成するように構成されている。通信部１２は、制御部１１から入力された通信信号を伝送線８１を介して制御装置５へ送信する。通信信号には、例えば通話相手の住戸親機２を指定するアドレスが含まれている。また、通信部１２は、制御装置５から送信された通信信号を受信し、受信した通信信号を制御部１１に出力する。また、通信部１２は、制御装置５を介してカメラアダプタ４と通信可能であり、カメラアダプタ４から管理室親機１と対応付けられた撮像装置３Ａ，３Ｂの識別情報や機器名称などの情報を受信し、この情報が制御部１１のメモリに記憶される。
【００２８】
操作部１３は、管理室親機１を使用する人物（例えばコンシェルジュ）の操作を受け付けるように構成されている。本実施形態では、操作部１３は、管理室親機１に設けられたテンキースイッチなどの操作ボタン１３１、表示部１４に設けられたタッチパネルなどを含む。操作部１３が操作を受け付けると、操作部１３は操作内容に応じた操作信号を制御部１１に出力する。
【００２９】
表示部１４は、例えば液晶ディスプレイや有機ＥＬ（Electro Luminescence）ディスプレイなどの表示デバイスを備え、制御部１１からの制御指令に応じた表示内容を表示デバイスに表示させる。
【００３０】
通話部１５は、マイクロホン１５１と、スピーカ１５２とに接続されている。マイクロホン１５１とスピーカ１５２とは、例えば管理室親機１に設けられたハンドセット１５３に設けられている。マイクロホン１５１は、管理室親機１を使用する人物（例えばコンシェルジュ）の音声をアナログの電気信号である音声信号に変換し、変換した音声信号を通話部１５に出力する。スピーカ１５２は、通話部１５からアナログの音声信号を入力されることにより、音声を出力する。
【００３１】
通話部１５は、Ａ／Ｄ変換機能と、Ｄ／Ａ変換機能とを有している。通話部１５は、Ａ／Ｄ変換機能により、マイクロホン１５１からのアナログの音声信号をディジタルの音声信号に変換し、変換後のディジタルの音声信号を制御部１１に出力する。制御部１１は、通話部１５から入力されたディジタルの音声信号を変調するなどして、通信部１２から制御装置５に送信させる。また、通信部１２が、制御装置５からディジタルの音声信号を受信すると、受信したディジタルの音声信号を制御部１１に出力する。制御部１１は、通信部１２から入力されたディジタルの音声信号を復調するなどして通話部１５に出力する。通話部１５は、Ｄ／Ａ変換機能により、制御部１１から入力されたディジタルの音声信号をアナログの音声信号に変換し、変換後のアナログの音声信号をスピーカ１５２に出力する。
【００３２】
住戸親機２は、集合住宅の複数の住戸１０２のそれぞれに設けられている。住戸親機２は、図２に示すように、制御部２１と、通信部２２と、操作部２３と、表示部２４と、通話部２５と、マイクロホン２５１と、スピーカ２５２とを備えている。制御部２１、通信部２２、操作部２３、表示部２４、通話部２５、マイクロホン２５１、スピーカ２５２は、それぞれ、管理室親機１の制御部１１、通信部１２、操作部１３、表示部１４、通話部１５、マイクロホン１５１、スピーカ１５２と同様の機能を有する。したがって、住戸親機２の各部の機能については説明を省略する。
【００３３】
撮像装置３（３Ａ，３Ｂ，３Ｃ，３Ｄ，３Ｅ）は、固体撮像素子と、レンズとを備えている。固体撮像素子は、たとえばＣＭＯＳ（Complementary Metal Oxide Semiconductor）イメージセンサである。
【００３４】
撮像装置３Ａ，３Ｂは共用玄関１０１に配置されている。撮像装置３Ａ，３Ｂは、共用玄関１０１に居る来訪者の映像を撮像できるように画角が設定されている。共用玄関１０１に居る来訪者を確実に撮像できるよう、撮像装置３Ａ，３Ｂは共用玄関１０１において別々の場所に配置されている。また、撮像装置３Ａ，３Ｂは異なる角度から共用玄関１０１を撮像している。
【００３５】
撮像装置３Ｃ，３Ｄ，３Ｅは、施設１００において共用玄関１０１以外の共用スペースに設けられている。例えば撮像装置３Ｃはエレベータホールに設けられ、エレベータホールの画像を撮像する。撮像装置３Ｄは、集合住宅に設けられたごみの集積場所を撮影可能な場所に設けられている。撮像装置３Ｅは、集合住宅の駐車場を撮影可能な場所に設けられている。
【００３６】
なお、撮像装置３Ａ，３Ｂ，３Ｃ，３Ｄは、ディジタルの映像信号を出力するディジタル方式のビデオカメラであり、撮像装置３Ｅは、アナログの映像信号を出力するアナログ方式のビデオカメラである。撮像装置３Ａ，３Ｂ，３Ｃ，３Ｄの映像信号は中継装置６に直接入力される。撮像装置３Ｅから出力されるアナログの映像信号は、変換装置７によってディジタルの映像信号に変換されて、中継装置６に入力される。
【００３７】
カメラアダプタ４は、制御部４１と、通信部４２と、記憶部４３と、設定部４４とを備えている。
【００３８】
制御部４１は、ＣＰＵ及びメモリを有する組み込みのコンピュータを備えている。ＣＰＵがメモリに格納されているプログラムを実行することによって、カメラアダプタ４の種々の機能が実現される。コンピュータのＣＰＵが実行するプログラムは、メモリにあらかじめ記録されているが、インターネットなどの電気通信回線を通じて提供されてもよいし、メモリカードなどの記録媒体に記録されて提供されてもよい。
【００３９】
通信部４２は、制御装置５及び中継装置６に接続されている。通信部４２は、制御装置５との通信と中継装置６との通信を別個に行う機能を有している。通信部４２は、中継装置６を介して撮像装置３及び端末装置８と通信することができ、通信部４２は、撮像装置３から受信した映像信号を、制御装置５に送信することができる。つまり、通信部４２は、中継装置６を介して撮像装置３から映像信号を取得することができ、取得した映像信号を制御装置に送信することができる。
【００４０】
記憶部４３は、電気的に書き換え可能な不揮発性のメモリ（例えばフラッシュメモリなど）であるのが好ましい。記憶部４３は、カメラアダプタ４に接続されている複数台の撮像装置３から定期的に取り込んだ画像データ（例えばＪＰＥＧ形式などの画像データ）を記憶する。記憶部４３は、管理室親機１、住戸親機２、制御装置５のアドレス（識別情報）などを記憶する。記憶部４３は、複数の撮像装置３のアドレス（識別情報）と複数の撮像装置３にそれぞれ割り当てられた機器名称とを対応付けたデータテーブルなどの設定情報を記憶する。記憶部４３に記憶されるデータテーブルには、例えば、共用玄関１０１に配置された撮像装置３Ａ，３Ｂのアドレスと、撮像装置３Ａ，３Ｂにそれぞれ割り当てられる機器名称の情報とが対応付けられている。また、記憶部４３は、管理室親機１のアドレスと管理室親機１に映像信号を出力させる撮像装置３Ａ，３Ｂのアドレスとを紐付けたデータテーブルを記憶する。
【００４１】
設定部４４は、カメラアダプタ４に接続された複数台の撮像装置３に関する設定情報を記憶部４３に設定する。設定情報は、カメラアダプタ４に接続された複数台の撮像装置３のアドレス、機器名称などである。設定情報は、カメラアダプタ４に接続された複数台の撮像装置３の設置場所の名称を含んでもよい。設定部４４は、例えば通信部４２が端末装置８から受信した設定情報を記憶部４３に設定する。設定部４４は、カメラアダプタ４に接続されるキーボードなどの入力装置から入力される設定情報を記憶部４３に設定してもよい。
【００４２】
制御装置５は、管理室親機１と、複数台の住戸親機２と、カメラアダプタ４との間の通信を制御する。制御装置５は、制御部５１と、通信部５２と、通信部５３とを備えている。
【００４３】
制御部５１は、ＣＰＵ及びメモリを有する組み込みのコンピュータを備えている。ＣＰＵがメモリに格納されているプログラムを実行することによって、通信部５２，５３の通信を制御する機能が実現される。制御部５１が内蔵するメモリにはデータテーブルが記憶されている。このデータテーブルは、各住戸１０２の住戸親機２に割り当てられたアドレスと、住戸１０２の住戸番号とを紐付けたテーブルである。コンピュータのＣＰＵが実行するプログラムは、メモリにあらかじめ記録されているが、インターネットなどの電気通信回線を通じて提供されてもよいし、メモリカードなどの記録媒体に記録されて提供されてもよい。
【００４４】
通信部５２は、伝送線８１を介して管理室親機１の通信部１２に接続されている。通信部５２は、管理室親機１の通信部１２との間で、音声信号、映像信号、制御信号（例えば呼出信号など）の少なくともいずれかの信号を含む通信信号を送信又は受信する。
【００４５】
通信部５２は、伝送線８２を介して、複数台の住戸親機２の通信部２２に接続されている。通信部５２は、住戸親機２の通信部２２との間で、音声信号、映像信号、制御信号（例えば呼出信号など）の少なくともいずれかの信号を含む通信信号を送信又は受信する。
【００４６】
通信部５３は、伝送線８３を介してカメラアダプタ４の通信部４２に接続されている。通信部５３は、カメラアダプタ４の通信部４２との間で、映像信号、制御信号（例えば映像信号の送信を要求する要求信号、モニタ対象の撮像装置３の識別情報など）の少なくともいずれかの信号を含む通信信号を送信又は受信する。
【００４７】
中継装置６は、例えばネットワークの集線装置（ハブ）である。中継装置６には、複数台の撮像装置３と、パーソナルコンピュータのような端末装置８とが接続されている。中継装置６は、撮像装置３から入力される映像信号をカメラアダプタ４に中継する機能を有している。また、中継装置６は、カメラアダプタ４と端末装置８との間の通信を中継する機能を有している。
【００４８】
（２．２）動作
本実施形態の通話システム２００では、例えば中継装置６に接続される端末装置８を用いて、共用スペースである共用玄関１０１を撮像する撮像装置３の有無を、制御装置５に設定することができる。
【００４９】
端末装置８によって共用玄関１０１を撮像する撮像装置３が有るという情報が制御装置５に設定されると、この情報は制御装置５から管理室親機１に送信される。管理室親機１は、制御装置５から撮像装置３が有るという情報を受け取ると、住戸親機２を呼び出すときに共用玄関１０１を撮像する撮像装置３の映像を住戸親機２に送信するか否かを選択するための操作部を表示部１４に表示させるように設定される。
【００５０】
以下、本実施形態の通話システム２００において、管理室親機１から住戸親機２を呼び出す呼出処理について図３〜図５を参照して説明する。
【００５１】
管理室親機１の制御部１１は、通話を行っていない状態で、操作部１３から操作信号が入力されない状態が一定時間継続すると、表示部１４に図３Ａに示すようなメニュー画面Ａ１を表示させる。メニュー画面Ａ１には、複数の操作にそれぞれ対応したボタンＢ１〜Ｂ５が表示されている。ボタンＢ１は、管理室親機１の動作モードを切り替えるための操作ボタンである。ボタンＢ２は、住戸親機２を呼び出すための呼出画面を表示させる操作ボタンである。ボタンＢ３は、管理室親機１から住戸親機２に通知したい情報を入力するための操作ボタンである。ボタンＢ４は、管理室親機１に対応付けられる撮像装置３の識別情報などを設定するための設定画面を表示させる操作ボタンである。ボタンＢ５は、管理室親機１の動作記録（例えば住戸親機２を呼び出した履歴など）を管理する管理画面を表示させる操作ボタンである。なお、メニュー画面Ａ１の左上隅には、現在の日時を表示する表示スペースＣ１が設けられている。
【００５２】
来訪者が、施設１００の共用玄関１０１に入ってきて、共用玄関１０１の受付スペースにいるコンシェルジュに、住戸１０２（例えば、住戸番号が「１２３４」の住戸１０２）の住人への取り次ぎを依頼した場合を想定する。
【００５３】
このとき、コンシェルジュは、管理室親機１を操作して、管理室親機１から取次先の住戸１０２の住戸親機２を呼び出す操作を行う。
【００５４】
コンシェルジュが、表示部１４に表示されたメニュー画面Ａ１においてボタンＢ２をタッチする操作を行うと、ボタンＢ２が操作されたという操作信号が操作部１３から制御部１１に入力される。制御部１１は、操作部１３からボタンＢ２の操作信号が入力されると、住戸親機２を呼び出すための呼出画面Ａ２（図３Ｂ参照）を表示部１４に表示させる。
【００５５】
呼出画面Ａ２の中央には、呼出先の住戸１０２の住戸番号を入力するための入力ボックスＥ１が表示されている。呼出画面Ａ２には、入力ボックスＥ１の下側に、入力方法を説明する説明文（例えば「テンキーで入力してください」）を表示する表示スペースＣ２が設けられている。
【００５６】
呼出画面Ａ２の下側には、住戸１０２を呼び出すためのボタンＢ１１，Ｂ１２，Ｂ１３が表示されている。呼出画面Ａ２の上側には、メニュー画面Ａ１に戻るために操作されるボタンＢ１５が表示されている。
【００５７】
ボタンＢ１１，Ｂ１２，Ｂ１３はそれぞれ別個の呼出方法に対応している。
【００５８】
ボタンＢ１１は、呼出先の住戸親機２を緊急に呼び出すためのボタンである。ボタンＢ１１が操作された場合、呼出先の住戸親機２は、管理室親機１から制御装置５を介して緊急の呼出信号を受信し、通常時とは異なる呼び出し音を出力する。ボタンＢ１１には「緊急」の文字が表示されている。
【００５９】
ボタンＢ１２は、呼出先の住戸親機２を呼び出すときに、撮像装置３Ａ又は３Ｂで撮像された映像信号を住戸親機２に出力する場合に操作されるボタンである。ボタンＢ１２には「映像呼」の文字が表示されている。
【００６０】
ボタンＢ１３は、呼出先の住戸親機２を呼び出すときに、住戸親機２に映像信号を送信しない場合に操作されるボタンである。ボタンＢ１３には「呼出」の文字が表示されている。
【００６１】
このように、管理室親機１から住戸親機２を呼び出す呼出操作には、映像信号を住戸親機２に送信させた状態で住戸親機２の呼び出しを行う第１呼出操作と、映像信号を住戸親機２に送信させない状態で住戸親機２の呼び出しを行う第２呼出操作とがある。したがって、表示部１４に表示されるボタンＢ１２が第１呼出操作を受け付ける第１操作部となり、表示部１４に表示されるボタンＢ１３が第２呼出操作を受け付ける第２操作部となる。
【００６２】
ここで、コンシェルジュが「映像呼」のボタンＢ１２を操作した場合の通話処理について図４を参照して説明する。
【００６３】
コンシェルジュは、管理室親機１の表示部１４に呼出画面Ａ２が表示されている状態で、入力ボックスＥ１にテンキー１５３を用いて呼出先の住戸１０２の住戸番号（例えば「１２３４」）を入力した後、ボタンＢ１２を操作する（図４のＳ１）。このとき、操作部１３は、入力ボックスＥ１に入力された住戸番号の情報と、第１呼出操作を受け付けたことを示す情報とを操作信号として制御部１１に出力する。制御部１１は、操作部１３から操作信号が入力されると、映像信号を住戸親機２に送信させた状態で住戸親機２の呼び出す処理を実行する。まず、制御部１１は、通信部１２から制御装置５を介してカメラアダプタ４へセッションの開始を要求するセッション要求信号を送信させる（図４のＳ２）。
【００６４】
カメラアダプタ４の通信部４２が、管理室親機１から制御装置５を介してセッション要求信号を受信すると、制御部４１は、撮像装置３の映像信号を送信可能であるか否かを判断する。
【００６５】
制御部４１が、撮像装置３の映像信号を送信不能と判断した場合、管理室親機１へ応答信号を送信させない。管理室親機１の通信部１２は、セッション要求信号を送信した時点から所定の待機時間（例えば４秒）が経過するまでに、カメラアダプタ４から応答信号を受信できなければ、セッションの開始要求を中断する。
【００６６】
一方、制御部４１が、撮像装置３の映像信号を送信可能と判断した場合、通信部４２から制御装置５を介して管理室親機１へ応答信号を送信させる（図４のＳ３）。
【００６７】
管理室親機１の通信部１２が、カメラアダプタ４から制御装置５を介して応答信号を受信すると、制御部１１は、映像信号の送信を要求する送信要求信号を通信部１２から制御装置５を介してカメラアダプタ４に送信させる（図４のＳ４）。ここで、制御部１１は、映像信号を送信させたい撮像装置３のアドレスを送信要求信号に含めて、通信部１２からカメラアダプタ４へ送信させる。
【００６８】
カメラアダプタ４は、カメラアダプタ４に接続された複数台の撮像装置３から映像信号を定期的に取り込み、記憶部４３に記憶させている。カメラアダプタ４の制御部４１は、通信部４２が管理室親機１から送信要求信号を受信すると、送信要求信号にアドレスが含まれている撮像装置３の所定時間分の画像データを記憶部４３から読み出す。そして、制御部４１は、所定時間分の画像データを通信部４２から制御装置５を介して管理室親機１に送信させる（図４のＳ５）。
【００６９】
管理室親機１の通信部１２がカメラアダプタ４から映像信号を受信すると、制御部１１は、通信部１２から制御装置５を介して呼出先の住戸親機２（住戸番号が「１２３４」の住戸親機２）に呼出信号を送信する（図４のＳ６）。
【００７０】
呼出先の住戸親機２の通信部２２は、管理室親機１から制御装置５を介して呼出信号を受信すると、制御装置５を介して管理室親機１に応答信号を送信する（図４のＳ７）。
【００７１】
管理室親機１の通信部１２が、呼出信号に対する応答信号を住戸親機２から受信すると、制御部１１は、カメラアダプタ４から制御装置５を介して受信した所定時間分の画像データを、例えばＨ．２６４、ＭＰＥＧ−４などの圧縮形式の動画ファイルに変換する。そして、制御部１１は、作成した動画ファイルを通信部１２から制御装置５を介して呼出先の住戸親機２に送信する（図４のＳ８）。
【００７２】
ここで、住戸親機２の制御部２１は、通信部２２が管理室親機１からの呼出信号を受信すると、呼出音を出力させる制御指令を通話部２５に出力しており、通話部２５がスピーカ２５２から呼出音を出力させる。
【００７３】
また、制御部２１は、通信部２２が管理室親機１からの呼出信号を受信すると、管理室親機１からの呼出を通知する通知画面Ａ３（図５参照）を表示部２４に表示させる。通知画面Ａ３の上側には、管理室親機１から呼び出されていることを示すメッセージＣ３が表示されている。通知画面Ａ３の中央には、モニタ対象の撮像装置３Ａ又は３Ｂで撮像された動画を表示する子画面Ｅ２が表示されている。制御部２１は、通信部２２が受信した映像信号（動画ファイル）をもとに子画面Ｅ２に管理室親機１から送信された動画を表示させている。通知画面Ａ３の下側にはボタンＢ２１，Ｂ２２，Ｂ２３が左右に並べて表示されている。ボタンＢ２１，Ｂ２２は、共用玄関１０１に配置された撮像装置３Ａ，３Ａのうち、通知画面Ａ３に動画を表示させる撮像装置を選択するためのボタンである。つまり、ボタンＢ２１，Ｂ２２が、２台の撮像装置３Ａ，３Ｂからモニタ対象の撮像装置を選択する選択部となる。ボタンＢ２１は撮像装置３Ａを選択するためのボタンであり、ボタンＢ２１には撮像装置３Ａの機器名称（例えば「カメラ１」）が表示されている。ボタンＢ２２は撮像装置３Ｂを選択するためのボタンであり、ボタンＢ２２には撮像装置３Ｂの機器名称（例えば「カメラ２」）が表示されている。ボタンＢ２３は、管理室親機１からの呼出に応答する場合に操作されるボタンであり、ボタンＢ２３には「通話」の文字が表示されている。
【００７４】
ここで、住戸１０２の住人が、通知画面Ａ３に表示されている撮像装置３の動画を見て、コンシェルジュからの呼出に応答しないと決めた場合、住戸親機２の操作を何も行わず、住戸親機２から管理室親機１へ通話を開始させる信号が送信されない。住戸１０２に住人がいない場合も、住戸親機２から管理室親機１へ通話を開始させる信号が送信されない。コンシェルジュは、住人からの応答が無ければ、住人が来訪者への面会を拒否しているか、住人が不在であるかのいずれかであると判断して、来訪者に応対する。
【００７５】
一方、呼出先の住戸１０２の住人が、通知画面Ａ３に表示されている撮像装置３の動画を見て、コンシェルジェからの呼出に応答しようと決めた場合、通話のためのボタンＢ２３を操作する（図４のＳ９）。
【００７６】
住戸親機２の制御部２１は、ボタンＢ２３の操作に応じた操作信号が操作部２３から入力されると、音声通話の開始を要求する通話要求信号を通信部２２から制御装置５を介して管理室親機１に送信させる（図４のＳ１０）。そして、管理室親機１の通信部１２が呼出先の住戸親機２から通話要求信号を受信すると、制御部１１は、制御装置５を介して住戸親機２との間で音声信号を授受する（図４のＳ１１）。これにより、住戸１０２の住人は、住戸親機２に表示された共用玄関１０１の映像を見ながら、コンシェルジュと通話することができる。住戸１０２の住人は、コンシェルジュを通して来訪者の用件を聞いたり、来訪者を集合住宅の専有区画へ通すようコンシェルジュに指示したりすることができる。このとき、管理室親機１の制御部１１は、カメラアダプタ４から出力された撮像装置３の画像から作成された動画像と、マイクロホン１５１から出力された音声信号との同期をとって、通信部１２から住戸親機２に送信させている。例えば、管理室親機１の制御部１１は、動画像及び音声信号の一方又は両方を時間軸上でずらすことによって、動画像と音声信号との時間のずれを小さくする同期処理を行う。これにより、管理室親機１とは別体の撮像装置３で撮像された動画像と、管理室親機１のマイクロホン１５１から出力された音声信号との時間的なズレが抑制されるので、住戸１０２の住人が動画像を見ながら音声信号を聞いた場合に違和感を感じにくくなる。なお、動画像と音声信号との同期をとるとは、動画像と音声信号とが同時に出力されることを意味せず、動画像が音声信号に対してわずかな時間だけ遅れた状態又は進んだ状態で出力されてもよい。
【００７７】
また、管理室親機１の制御部１１は、所定の時間間隔で、通信部１２から制御装置５を介してカメラアダプタ４へ、映像信号を送信させたい撮像装置３の識別情報を送信要求信号に含めて送信させる（図４のＳ１２）。
【００７８】
カメラアダプタ４の通信部４２が管理室親機１から送信要求信号を受信すると、制御部４１は、送信要求信号に含まれている識別情報に対応した撮像装置３の所定時間分の画像データを記憶部４３から読み出す。そして、制御部４１は、所定時間分の画像データを通信部４２から制御装置５を介して管理室親機１に送信させる（図４のＳ１３）。管理室親機１の通信部１２が所定時間分の画像データを受信すると、制御部１１は所定時間分の画像データを動画ファイルに変換し、変換後の動画ファイルを呼出先の住戸親機２に送信する。これにより、管理室親機１から住戸親機２に所定の時間間隔で動画ファイルが送信されることになり、住戸親機２において動画ファイルが再生されるから、住戸親機２を使用する住人は共用玄関１０１の画像を確認しながら通話を行うことができる。
【００７９】
撮像装置３Ａの画像をもとに作成された動画が住戸親機２の表示部２４に表示されている状態で、住人がボタンＢ２２をタッチする操作を行えば、住戸親機２の表示部２４に撮像装置３Ｂの画像をもとに作成された動画を表示させることができる。住人がボタンＢ２２をタッチする操作を行うと、操作部２３が、ボタンＢ２２の操作信号を制御部２１に出力する。制御部２１は、ボタンＢ２２の操作信号に応じて、撮像装置３Ｂの映像を要求する要求信号を、制御装置５を介して管理室親機１へ送信する。管理室親機１の通信部１２が、撮像装置３Ｂの映像を要求する要求信号を住戸親機２から受信すると、制御部１１は、通信部１２から制御装置５を介してカメラアダプタ４へ、撮像装置３Ｂの映像を要求する要求信号を送信させる。カメラアダプタ４の通信部４２が管理室親機１から要求信号を受信すると、制御部４１は、撮像装置３Ｂの所定時間分の画像データを記憶部４３から読み出し、撮像装置３Ｂの所定時間分の画像データを通信部４２から制御装置５を介して管理室親機１に送信させる。
【００８０】
管理室親機１の通信部１２が、撮像装置３Ｂの所定時間分の画像データを受信すると、制御部１１は、撮像装置３Ｂの所定時間分の画像データを動画ファイルに変換する。そして、制御部１１は、通信部１２から制御装置５を介して呼出先の住戸親機２に、変換後の動画ファイルを送信させており、住戸親機２に撮像装置３Ｂの映像が表示される。
【００８１】
住戸１０２の住人とコンシェルジュとの間で通話が行われた後に、管理室親機１の操作部１３又は住戸親機２の操作部２３で音声通話を終了する操作が行われると、管理室親機１の制御部１１及び住戸親機２の制御部２１で音声通話を終了する処理が行われる。
【００８２】
ところで、コンシェルジュが、来訪者の訪問以外の何らかの用件を住人に伝えるために、住戸１０２の住人を呼び出す場合がある。この場合、コンシェルジュは、呼出画面Ａ２において、映像信号を住戸親機２に送信させない状態で住戸親機２の呼び出しを行うためのボタンＢ１３を操作すればよい。
【００８３】
コンシェルジュが呼出画面Ａ２においてボタンＢ１３を操作した場合は、操作部１３は、呼び出し先の住戸１０２の住戸番号の情報と、第２呼出操作を受け付けたことを示す情報とを操作信号として制御部１１に出力する。このとき、管理室親機１から住戸親機２へは撮像装置３の映像信号が送信されず、管理室親機１と住戸親機２との間では音声信号のみ送受信される。したがって、住戸親機２の表示部２４には撮像装置３Ａ，３Ｂの映像が表示されず、コンシェルジュと住戸１０２の住人とは音声のみの通話を行う。
【００８４】
以上のように、管理室親機１の表示部１４に呼出画面Ａ２が表示されている状態で、ボタンＢ１２が操作されると、住戸親機２の表示部２４に撮像装置３Ａ又は３Ｂの映像が表示される。したがって、住戸１０２の住人は、管理室親機１からの呼び出しに応答する前に、表示部２４に表示された映像を見て来訪者を確認できる。よって、住戸１０２の住人は、自身の情報が来訪者に知られない状態で、来訪者とコンシェルジュとが会話している映像を確認できる。
【００８５】
また、撮像装置３Ａ，３Ｂは管理室親機１とは別体に構成されて、共用玄関１０１に配置されているので、撮像装置３Ａ，３Ｂが管理室親機１に設けられている場合のように、撮像装置３Ａ，３Ｂの画角が管理室親機１の設置場所による制約を受けにくい。撮像装置３Ａ，３Ｂが来訪者に気付かれにくい場所に設置されていれば、来訪者が撮像装置３Ａ，３Ｂに撮像されていることに気付きにくくなるので、来訪者を警戒させたり、来訪者が不快な思いをしたりする可能性が少なくなる。
【００８６】
また、呼出先の住戸１０２の住人は、住戸親機２の表示部２４に通知画面Ａ３が表示されている状態で、ボタンＢ２１，Ｂ２２を操作することによって、通知画面Ａ３に映像が表示される撮像装置３Ａ，３Ｂを変更することができる。撮像装置３Ａ，３Ｂは、共用玄関１０１において別々の場所に配置されており、異なる角度から共用玄関１０１を撮像している。したがって、呼出先の住戸１０２の住人は、撮像装置３Ａ，３Ｂのうち、共用玄関１０１にいる来訪者の映りがよい方の撮像装置の映像を通知画面Ａ３に表示させることができ、来訪者の顔などの特徴を確認しやすいという利点がある。
【００８７】
（３）変形例
以下に、上記実施形態の変形例に係る通話システム、映像信号取得装置、及び通話装置を列記する。なお、以下に説明する変形例の各構成は、上記実施形態で説明した各構成と適宜組み合わせて適用可能である。
【００８８】
上記の実施形態では、２台の撮像装置３Ａ，３Ｂで共用スペース（共用玄関１０１）を撮像していたが、共用スペースを撮像する撮像装置３の台数は１台でもよいし、３台以上でもよい。住戸１０２の住人は、住戸親機２を用いて、共用スペースを撮像する複数の撮像装置３から１台を選択することができ、選択した撮像装置３の映像を住戸親機２の表示部１４に表示させることができる。また、上記の実施形態では、複数台の撮像装置３はいずれも管理室親機１と別体であったが、撮像装置３は、管理室親機１に備えられて管理室親機１の周囲を撮像する撮像装置を含んでもよい。
【００８９】
上記の実施形態では、撮像装置３から映像信号を取得するカメラアダプタ４（映像信号取得装置）と、管理室親機１と複数台の住戸親機２との間の通信を制御する制御装置５とが別々に設けられていたが、カメラアダプタ４の機能が制御装置５に備えられていてもよい。すなわち、カメラアダプタ４と制御装置５とが一体化され、１つの筐体に、カメラアダプタ４の機能と、制御装置５の機能とが備えられていてもよい。
【００９０】
上記の実施形態では、管理室親機１（第１通話装置）が、カメラアダプタ４から出力された所定時間分の画像データを動画ファイルに変換しているが、動画ファイルへの変換は管理室親機１以外で行ってもよい。例えば、制御装置５が、カメラアダプタ４から出力された所定時間分の画像データを動画ファイルに変換して管理室親機１に送信してもよい。また、カメラアダプタ４（映像信号取得装置）が、撮像装置３から取得した所定時間分の画像データを動画ファイルに変換し、変換後の動画ファイルを制御装置５を介して管理室親機１に送信してもよい。
【００９１】
また、上記の実施形態において、住戸１０２の住人が住戸親機２を操作して管理室親機１を呼び出すこともできる。ここで、コンシェルジュが、管理室親機１を操作して住戸親機２からの呼出に応答した場合、管理室親機１は、共用スペースを撮像する撮像装置３の映像を住戸親機２に送信してもよいし、送信しなくてもよい。
【００９２】
（４）効果
第１の態様の通話システム２００は、第１通話装置（管理室親機１）と、第２通話装置（住戸親機２）と、撮像装置３と、映像信号取得装置（カメラアダプタ４）と、を備える。第１通話装置は施設１００の共用スペース（共用玄関１０１）に設けられている。第２通話装置は、施設１００において共用スペースとは異なる場所に設けられている。撮像装置３は、共用スペースを撮像する。映像信号取得装置は、撮像装置３から映像信号を取得する。第１通話装置は、映像信号取得装置及び第２通話装置と通信する通信部１２と、操作を受け付ける操作部１３と、を有している。第１通話装置は、第２通話装置の呼び出しを行う呼出操作を操作部１３が受け付けたとき、通信部１２が、第１通話装置と対応付けられた撮像装置３の映像信号を要求する要求信号を映像信号取得装置に送信している。映像信号取得装置は、要求信号を受信したとき、第１通話装置と対応付けられた撮像装置３から取得した映像信号を第１通話装置に出力している。第１通話装置の通信部１２が、要求信号に応じて映像信号取得装置から出力された映像信号を第２通話装置に送信するように構成されている。
【００９３】
第１の態様によれば、第１通話装置の操作部１３が呼出操作を受け付けたとき、第１通話装置と対応付けられた撮像装置３の映像信号が第２通話装置に送信されるので、第２通話装置に第１通話装置と対応付けられた撮像装置３の映像を表示させることができる。第１通話装置は撮像装置３の映像を第２通話装置に送信しているので、第１通話装置の設置場所によって画角が制約されにくい映像信号を出力することができる。
【００９４】
第２の態様の通話システム２００は、第１の態様において、第１通話装置（管理室親機１）と対応付けられた撮像装置３Ａ，３Ｂが複数あり、映像信号取得装置（カメラアダプタ４）は複数の撮像装置３Ａ，３Ｂから映像信号を取得してもよい。第２通話装置（住戸親機２）は、複数の撮像装置３Ａ，３Ｂからモニタ対象の撮像装置を選択する選択部（ボタンＢ２１，Ｂ２２）を有し、選択部によって選択されたモニタ対象の撮像装置の識別情報を第１通話装置に送信するように構成されてもよい。第１通話装置は、通信部１２がモニタ対象の撮像装置の識別情報を受信したとき、通信部１２が識別情報と要求信号とを映像信号取得装置に送信している。映像信号取得装置は、要求信号と識別情報とを受信したとき、モニタ対象の撮像装置から取得した映像信号を前記第１通話装置に出力している。第１通話装置の通信部１２が、映像信号取得装置から出力された映像信号を第２通話装置に送信するように構成されている。
【００９５】
第２の態様によれば、複数の撮像装置３Ａ，３Ｂのうち選択部によって選択された撮像装置３の映像を第２通話装置に送信させることができる。
【００９６】
第３の態様の通話システム２００は、第１又は第２の態様において、第１通話装置（管理室親機１）は、入力された音声を電気信号である音声信号に変換して出力するマイクロホン１５１を、さらに有してもよい。第１通話装置の通信部１２が、マイクロホン１５１から出力された音声信号を第２通話装置に送信するとき、映像信号と音声信号との同期をとって第２通話装置に送信するように構成されてもよい。
【００９７】
第３の態様によれば、第２通話装置の使用者は、撮像装置３で撮像された映像を見ながら、第１通話装置のマイクロホン１５１から出力された音声を聞くことができ、映像と音声の両方で共用スペースの様子を確認できる。しかも、映像信号と音声信号との同期がとられているので、撮像装置３で撮像された映像と、マイクロホン１５１から出力された音声との時間的なずれが抑制され、映像を見ながら音声を聞いた場合に感じる違和感を低減できる。
【００９８】
第４の態様の通話システム２００は、第１〜第３のいずれか１つの態様において、呼出操作には第１呼出操作と第２呼出操作とがあってもよい。第１呼出操作は、映像信号を第２通話装置（住戸親機２）に送信させた状態で第２通話装置の呼び出しを行う操作である。第２呼出操作は、映像信号を第２通話装置に送信させない状態で第２通話装置の呼び出しを行う操作である。第１通話装置（管理室親機１）は、操作部１３が第１呼出操作を受け付けたときは、通信部１２が、映像信号取得装置から出力された映像信号を第２通話装置に送信するように構成される。第１通話装置は、操作部１３が第２呼出操作を受け付けたときは、通信部１２が、映像信号を第２通話装置に送信しないように構成される。
【００９９】
第４の態様によれば、第１通話装置から第２通話装置を呼び出す場合に、映像信号取得装置から出力された映像信号を第２通話装置に送信するか否かを選択できる。
【０１００】
第５の態様の映像信号取得装置（カメラアダプタ４）は、第１〜第４のいずれか１つの態様の通話システム２００が備える映像信号取得装置である。映像信号取得装置は。撮像装置３及び第１通話装置（管理室親機１）と通信する通信インターフェイス（通信部４２）を備える。通信インターフェイスが、第１通話装置から要求信号を受信したとき、撮像装置３から取得した映像信号を第１通話装置に出力するように構成される。
【０１０１】
第５の態様によれば、映像信号取得装置は、第１通話装置からの要求信号に応じて、第１通話装置と対応付けられた撮像装置３の映像信号を第１通話装置に出力することができる。
【０１０２】
第６の態様の通話装置（管理室親機１）は、撮像装置３から取得した映像信号を出力する映像信号取得装置（カメラアダプタ４）、及び通話相手となる他の通話装置（住戸親機２）と通信する通信部１２と、操作を受け付ける操作部１３と、を有している。他の通話装置の呼び出しを行う呼出操作を操作部１３が受け付けたとき、通信部１２が、当該通話装置と対応付けられた撮像装置３の映像信号を要求する要求信号を映像信号取得装置に送信する。そして、通信部１２が、要求信号に応じて映像信号取得装置から出力された撮像装置３の映像信号を、他の通話装置に送信するように構成されている。
【０１０３】
第６の態様によれば、第１通話装置の操作部１３が呼出操作を受け付けたとき、第１通話装置と対応付けられた撮像装置３の映像信号が第２通話装置に送信されるので、第２通話装置に第１通話装置と対応付けられた撮像装置３の映像を表示させることができる。通話装置は撮像装置３の映像を他の通話装置に送信しているので、通話装置の設置場所によって画角が制約されにくい映像信号を出力することができる。
【符号の説明】
【０１０４】
１  管理室親機（第１通話装置、通話装置）
２  住戸親機（第２通話装置、他の通話装置）
３，３Ａ〜３Ｅ  撮像装置
４  カメラアダプタ（映像信号取得装置）
１１  制御部
１２  通信部
１３  操作部
４２  通信部（通信インターフェイス）
１００  施設
１０１  共用玄関（共用スペース）
１５１  マイクロホン
２００  通話システム
Ｂ２１，Ｂ２２  ボタン（選択部）
【図１】
0006643681.tif 000002
【図２】
0006643681.tif 000003
【図３】
0006643681.tif 000004
【図４】
0006643681.tif 000005
【図５】
0006643681.tif 000006